(57)【要約】      （修正有）【課題】木肌の見栄えに優れ、搬入性が良好な組立式人工樹木を提供する。【解決手段】組立式人工桜は、大島桜の生木を分割して乾燥処理・燻蒸処理を施した複数の幹部１２と複数の枝部１４とを備え、隣接する幹部１２同士又は隣接する幹部１２と枝部１４はそれぞれの端面に設けられた穴部４５、４７に接続部材５０を挿入することにより接続される。したがって、木肌の見栄えに優れる。例えば、第２幹部２４の端面２４Ｄの穴部４５と第１枝部３２の端面３２Ａの穴部４７に設けられたキー溝４６、４８に接続部材５０のキー５２が挿入されることによって、第２幹部２４と第１枝部３２との軸回りの相対的な回転が防止され、本来の樹形が維持される。また、複数の幹部１２、複数の枝部１４、複数のスプレー部１６に分解されて搬送されることにより、搬入先のエレベータ内に載せることが可能となり、搬入性に優れる。【選択図】図３
0003209009.tif 000002
【実用新案登録請求の範囲】
【請求項１】
生木の幹及び枝が複数の部分に分割され、乾燥処理及び燻蒸処理が施された分割部と、
隣接する前記分割部の端面にそれぞれ形成された一対の穴部に挿入される接続部材と、
隣接する前記分割部の一対の前記穴部に前記接続部材を挿入して連結した場合に、一方の分割部が他方の分割部に対して前記接続部材の軸回りに相対的に回転することを防止する回転防止構造と、
を備えた組立式人工樹木。
【請求項２】
前記回転防止構造は、前記穴部の内周面に前記穴部の軸方向に延在して形成されたキー溝と、前記接続部材の外周面に前記接続部材の軸方向に沿って突出形成され前記キー溝に挿入されるキーとから構成される請求項１記載の組立式人工樹木。
【請求項３】
前記幹を構成する最下端の前記分割部が挿入される筒状部と、
前記筒状部が固定される重しと、
からなる支持部材をさらに有する請求項１または２記載の組立式人工樹木。
【請求項４】
前記重しは、複数の分解可能な板状の金属製のプレートが積層されたものである請求項３記載の組立式人工樹木。
【考案の詳細な説明】
【技術分野】
【０００１】
本考案は、組立式人工樹木に関する。
【背景技術】
【０００２】
従来、根付きの樹木、例えば桜の木を観賞用に建物内に搬入し、展示することが行われている。しかし、桜の開花時期は限られており、また、展示場所で花や葉が散乱する等の不都合があるため、人工の桜の木(以下、「人工桜」という)が使用されている。この人工桜は、花をつけた枝の部分のみならず、幹の部分まで人工的に製造されたものが用いられている。
【０００３】
例えば、実用新案登録文献１には、人工の幹に形成された円錐状の差込穴に固定部材の差込部が差し込まれ、固定部材の複数の嵌合穴には、人工枝の基端部が差し込まれる構成が開示されている。
【先行技術文献】
【特許文献】
【０００４】
【特許文献１】実開平６−３３９２７号公報
【考案の概要】
【考案が解決しようとする課題】
【０００５】
上記特許文献１に記載されているように、花がついている人工の枝と人工の幹を組み合わせた場合には、視覚に入りやすい人工の幹の木肌が樹木（生木）の木肌と比較して見劣りするという課題がある。また、幹を一体的に形成した場合には、建物内に搬入する際にエレベータに乗せることができないおそれがある。
【０００６】
本考案は上記事実を考慮し、木肌の見栄えに優れ、搬入性が良好な組立式人工樹木を提供することを目的とする。
【課題を解決するための手段】
【０００７】
請求項１記載の考案は、生木の幹及び枝が複数の部分に分割され、乾燥処理及び燻蒸処理が施された分割部と、隣接する前記分割部の端面にそれぞれ形成された一対の穴部に挿入される接続部材と、隣接する前記分割部の一対の前記穴部に前記接続部材を挿入して連結した場合に、一方の分割部が他方の分割部に対して前記接続部材の軸回りに相対的に回転することを防止する回転防止構造と、を備えている。
【０００８】
このように構成された組立式人工樹木は、建物内に搬入する場合等に、幹や枝が複数の分割部から構成されているため、搬送時に分割部に分割することによりエレベータ等に容易に持ち込むことができる。したがって、搬入性に優れる。また、組立式人工樹木は、生木の幹や枝を複数の部分に分割（切断）して乾燥処理及び燻蒸処理した分割部を用いてるため、木肌の見栄えに優れる。また、分割部同士を接続する際、一方の分割部の端面に形成された穴部と他方の分割部の端面に形成された穴部に接続部材を挿入して接合するだけで簡単に接続することができる。この際、回転防止構造が設けられているため、本来の樹形で分割部同士を接続することができる。また、隣接する分割部が接続部材の軸回りに相対的に回転して樹形が変化することが防止される。すなわち、分割部同士の接続後も本来の樹形を維持することができる。
【０００９】
請求項２記載の考案は、請求項１記載の考案において、前記回転防止構造は、前記穴部の内周面に前記穴部の軸方向に延在して形成されたキー溝と、前記接続部材の外周面に前記接続部材の軸方向に沿って突出形成され前記キー溝に挿入されるキーとから構成される。
【００１０】
回転防止構造は、分割部の端面に形成された穴部に設けられたキー溝と、接続部材の外周面に突出形成されたキーから構成されるので、穴部に接続部材を挿入する際にキー溝にキーを挿入するだけで、本来の樹形で分割部同士を接続することができ。また、隣接する分割部が接続部材の軸回りに相対的に回転して樹形が変化することが防止される。すなわち、分割部同士の接続後も本来の樹形を維持することができる。
【００１１】
請求項３記載の考案は、請求項１又は２記載の考案において、前記幹を構成する最下端の前記分割部が挿入される筒状部と、前記筒状部が固定される重しと、からなる支持部材をさらに有する。
【００１２】
幹の最下端を構成する分割部が筒状部に挿入され、筒状部が重しで固定されているため、組立式人工樹木が安定的に支持される。
【００１３】
請求項４記載の考案は、請求項３記載の考案において、前記重しは、分解可能な板状の複数の金属製のプレートが積層されたものである。
【００１４】
重しが複数の分解可能な板状のプレートから構成されているため、一枚一枚のプレートの重量を人間が搬送可能な重量に抑制して搬入性を良好にすると共に、組立式人工樹木の展示場所で複数のプレートを積層することで重しとして一体化し、組立式人工樹木を安定的に支持することができる。
【考案の効果】
【００１５】
本考案の組立式人工樹木は、上記構成としたので、木肌の見栄えに優れ、搬送性が良好である。
【図面の簡単な説明】
【００１６】
【図１】本考案の一実施形態に係る人工桜の全体概略構成を示す図である。
【図２】本考案の一実施形態に係る人工桜の分解斜視図である。
【図３】本考案の一実施形態に係る人工桜の幹と枝の接続状態を示す分解斜視図である。
【図４】本考案の一実施形態に係る人工桜の支持部材を示す斜視図である。
【図５】本考案の一実施形態に係る人工桜の支持部材の分解斜視図である。
【考案を実施するための形態】
【００１７】
［構成］
本考案の組立式人工樹木の一実施形態である組立式人工桜について図１〜図５を参照して説明する。なお、各図は模式的なものであり、本考案と関連性の低いものは図示を省略している。
【００１８】
組立式人工桜１０は、図１に示すように、幹１２と、幹１２から分岐した枝１４と、枝１４の先端に取り付けられる造花と人工の枝が一体的に形成されたスプレー１６と、枝１４に直接造花７６を取り付けるピッグ１８と、樹林全体を支持する支持部材２０とを備えている。
【００１９】
幹１２は、図２に示すように、下方から第１幹部２２〜第４幹部２８に分割されている。第１幹部２２〜第４幹部２８は、搬入先のエレベータで搬送可能なサイズに生木の大島桜の幹を切断した後、それぞれに乾燥処理及び燻蒸処理が施されたものである。
【００２０】
第１幹部２２〜第３幹部２６の上端面２２Ａ〜２６Ａには、上端面２２Ａ〜２６Ａに垂直な方向（下方）に延在する略円形の穴部２２Ｂ〜２６Ｂが形成されている。また、第２幹部２４〜第４幹部２８の下端面２４Ｃ〜２８Ｃには、下端面２４Ｃ〜２８Ｃに垂直な方向（上方）に延在する略円形の穴部（図示せず）が形成されている。
【００２１】
例えば、第１幹部２２と第２幹部２４を接続する場合には、第１幹部２２の上端面２２Ａの穴部２２Ｂと第２幹部２４の下端面２４Ｃの穴部（図示せず）に略円筒形の接続部材３０を挿入することによって第１幹部２２と第２幹部２４を接続する構成である。
【００２２】
なお、この幹部同士の接続構造については、後述する幹部と枝部との接続構造と同様であり、その具体的構成については、第２幹部２２と第１枝部３２との接続構造を代表例として後述する。
【００２３】
枝１４は、第２幹部２４に接続される第１枝部３２、第２枝部３４と、第３幹部２６に接続される第３枝部３６、第４枝部３８と、第４幹部２８に接続される第５枝部４０、第６枝部４２とを備えている。
【００２４】
第１枝部３２〜第６枝部４２は、搬入先のエレベータで搬送可能なサイズに生木の大島桜の幹１２（第２幹部２４〜第４幹部２８）から枝の部分を切断し、それぞれに乾燥処理及び燻蒸処理が施されたものである。
【００２５】
第１枝部３２〜第６枝部４２は、それぞれの幹部側の端面３２Ａ〜４２Ａが第２幹部２４〜第４幹部２８の端面２４Ｄ、２４Ｅ〜２８Ｄ、２８Ｅに接続部材５０を用いて接続されるものである。
【００２６】
また、第１枝部３２〜第６枝部４２において端面３２Ａ〜４２Ａと反対側の端面３２Ｂ〜４２Ｂには、スプレー１６が取り付けられるものである。
【００２７】
ここで、第１幹部２２〜第４幹部２８及び第１枝部３４〜第６枝部４２の接続構造の一例として、第２幹部２４と第１枝部３４との接続構造を図３を参照して説明する。
【００２８】
第２幹部２４の端面２４Ｄには、端面２４Ｄに垂直な方向に延在する略円形の穴部４５が形成されている。穴部４５には内周面の一部に穴部４５の軸方向に延在するキー溝４６が形成されている。穴部４５（及びキー溝４６）は、第２幹部２４の端面２４Ｄにドリルで所定形状の穴をあけ、そこに金属製の筒状体を挿入することにより形成されたものである。第２幹部２４の乾燥により筒状体が穴に固定されたものである。
【００２９】
また、第１枝部３２の端面３２Ａには、端面３２Ａに垂直な方向に延在する穴部４７が形成されている。穴部４７には内周面の一部に穴部４７の軸方向に延在し、キー溝４６と同形状のキー溝４８が形成されている。穴部４７（及びキー溝４８）も第１枝部３２の端面３２Ａにドリルで所定形状の穴をあけ、そこに金属製の筒状体を挿入することにより形成されたものである。第１枝部３２の乾燥により筒状体が穴に固定されたものである。
【００３０】
この穴部４５、４７に挿入される金属製の接続部材５０は、図３に示すように、穴部４５、４７に対応した略円筒形であり、その外周面の一部に軸方向に延在するキー５２が突出形成されている。接続部材５０は、例えば、鉄製の円筒形のパイプの外周面に矩形状の角柱を接合することにより形成することができる。
【００３１】
組立式人工桜１０の組み立て時に第２幹部２４と第１枝部３２を接続させる場合には、第２幹部２４の端面２４Ｄの穴部４５と第１枝部３２の端面３２Ａの穴部４７に接続部材５０を挿入することにより、第２幹部２４と第１枝部３２を接続させるものである。この際、穴部４５、４７のキー溝４６、４８に接続部材５０のキー５２を挿入させることにより、第２幹部２４と第１枝部３２が接続部材５０の軸回りに相対的に回転して樹形が変化
することが防止される。すなわち、第２幹部２４と第１枝部３２の接続後も、本来の樹形が維持される構成である。
【００３２】
このような接続構造は、第１幹部２２〜第４幹部２８の接続部分でも、また、第２枝部３４〜第６枝部４２と第２幹部２４〜第４幹部２８との接続部分でも同様である。
【００３３】
図３に示すように、第１枝部３２の端面３２Ａと反対側の端面３２Ｂには、端面３２Ｂに垂直な方向に延在する穴部５４が形成されている。穴部５４は、奥に向かって断面が減少する円錐台形状に形成されている。
【００３４】
また、第１枝部３２の側面には、ピッグ１８が嵌合される一対の小径な穴部５３(一方は図示せず)が形成されている。
【００３５】
次に、スプレー１６について説明する。スプレー１６は、図２に示すように、第１枝部３２〜第６枝部４２の端面３２Ａ〜４２Ａと反対側の端面３２Ｂ〜４２Ｂ又は第４幹部２８の上端面２８Ａに取り付けられるものであり、それぞれ第１スプレー５６〜第７スプレー６８からなる。
【００３６】
この第１スプレー５６〜第７スプレー６８と第１枝部３２〜第６枝部４２及び第４幹部２８との接続構造についても、第１枝部３２と第１スプレー５６の場合についてのみ説明し、他の場合についても同様なのでその詳細な説明を省略する。
【００３７】
図３に示すように、第１枝部３２の端面３２Ｂ側に取り付けられる第１スプレー５６は、人工の枝７０に多数の造花７２が取り付けられているものである。枝７０の端部には、先端が円錐台形状に形成された挿入部７４が形成されている。第１枝部３２の端面３２Ｂに形成された穴部５４に接着材を注入し、挿入部７４を挿入することによって、第１枝部３２に第１スプレー５６が固定される。
【００３８】
また、ピッグ１８は、接着剤が注入された第１枝部３２の側面に設けられた穴部５３に造花７６の軸７８が挿入されることにより、第１枝部３２にピッグ１８が取り付けられるものである。
【００３９】
次に、支持部材２０について説明する。支持部材２０は、図４及び図５に示すように、３枚の鉄製の第１プレート８０〜第３プレーと８４と鉄製の管部材８６から構成される。
【００４０】
図４に示すように、第１プレート８０は、矩形の板状体であり、その四隅に立設された４本のボルト８８と、第１プレート８０の一対の対向する辺８０Ａ、８０Ｂに沿って一対のボルト８８間の略中央に立設されたＵ字型のホルダ９０、９０とを備えている。
【００４１】
第２プレート８２は、第１プレート８４と同形状の略矩形の板状体であり、その四隅には４本のボルト８８の挿通用孔部９２が形成されている。また、第２プレート８２は、第１プレート８０の一対の辺８０Ａ、８０Ｂに対応する一対の辺８２Ａ、８２Ｂに沿って第１プレート８０との積層時にホルダ９０との干渉を回避するための凹部９４、９４が形成されている。さらに、第２プレート８２の一対の辺８２Ａ、８２Ｂと直交する一対の辺８２Ｃ、８２Ｄに沿って一対の挿通用孔部９２間の略中央には、一対のＵ字型のホルダ９６、９６が立設されている。
【００４２】
第３プレート８４は、第１プレート８０、第２プレート８２と同形状の略矩形の板状体であり、その四隅には４本のボルト８８の挿通用孔部９８が形成されている。また、第３プレート８４は、第２プレート８２の一対の辺８２Ａ、８２Ｂに対応する一対の辺８４Ａ、８４Ｂに沿って第１プレート８０、第２プレート８２との積層時にホルダ９０、９０との干渉を回避するための凹部１００、１００が形成されている。また、第３プレート８４は、第２プレート８２の一対の辺８２Ｃ、８２Ｄに対応する一対の辺８４Ｃ、８４Ｄに沿って第２プレート８２との積層時にホルダ９６、９６との干渉を回避するための凹部１０２、１０２が形成されている。さらに、第３プレート８４において一対の辺８４Ａ、８４Ｂに沿って一対の凹部１００、１００の内側に一対のホルダ１０４、１０４が形成されている。また、第３プレート８４の一対のホルダ１０４、１０４の内側には、平面視で正方形の頂点位置（周方向で９０度ずつ間隔をあけた位置）に４本のボルト１０６が立設されている。
【００４３】
管部材８６は、円板状に形成された円板部１０８と、円板部１０８の上面１０８Ａに接合された円板部１０８よりも縮径された円筒部１１０とを備えている。円板部１０８の上面１０８Ａの中心に円筒部１１０が固定されることによって、上面１０８Ａにおいて円筒部１１０よりも外側に周縁部１１２が形成される。周縁部１１２には、周方向に沿って９０度間隔でボルト１０６の挿通用孔部１１４が形成されている。
【００４４】
また、円筒部１１０の外周面１１０Ａには、周方向に沿って９０度間隔で上下二段の孔部１１６、１１６が形成されている。
【００４５】
このように構成された支持部材２０の管部材８６の円筒部１１０には、組立式人工桜１０の第１幹部２２の下端が挿入され、円筒部１１０の四方に形成された孔部１１６からボルト１２２を挿入して、第１幹部２２の下端に螺入することにより、第１幹部２２の下端が支持部材２０の円筒部１１０に固定される構造である。
【００４６】
［搬入・組み立て］
このように構成された本考案の一実施形態に係る組立式人工桜１０の搬入方法及び組み立て方法について説明する。
【００４７】
搬入時には、組立式人工桜１０を第１幹部２２〜第４幹部２８、第１枝部３４〜第６枝部４２、第１スプレー５６〜第７スプレー６８、複数のピッグ１８と、第１プレート８０〜第３プレート８４、管部材８６に分解して搬送する。
【００４８】
展示会場に搬入後、先ず、支持部材２０を組み立てる。具体的には、第１プレート８０の四隅に形成された４本のボルト８８を第２プレート８２、第３プレート８４の挿通用孔部９２、９８に挿通して第１プレート８０〜第３プレート８４を積層し、ナット１２０で締結することにより、第１プレート〜第３プレート８４が一体化される。この際、第１プレート８０に形成されたホルダ９０は、第２プレート８２に形成された凹部９４、第３プレート８４に形成された凹部１００を通過するため、第２プレート８２、第３プレート８４と干渉することはない。また、第２プレート８２に形成されたホルダ９６は、第３プレート８４に形成された凹部１０２を通過するため、第３プレート８４と干渉することはない。
【００４９】
次に、第３プレート８４のボルト１０６を管部材８６の周縁部１１２の挿通用孔部１１４を挿通させてナット１２４で締結されることにより、第３プレート８４上に管部材８６が固定される。
【００５０】
このようにして組み立てられた支持部材２０の管部材８６の円筒部１１０に第１幹部２２の下端部を挿入して、円筒部１１０の孔部１１６からボルト１２２を第１幹部２２に螺入することによって、第１幹部２２を支持部材２０に固定する。
【００５１】
次に、第１幹部２２の上端面２２Ａの穴部２２Ｂと第２幹部２４の下端面２２Ｃの図示しない穴部に接続部材３０を挿入することにより、第１幹部２２と第２幹部２４を接続する。同様にして、第２幹部２４の上に第３幹部２６、第４幹部２８を接続する。
【００５２】
続いて、図３に示すように、第２幹部２４の端面２４Ｄの穴部４５と第１枝部３２の端面３２Ａの穴部４７に接続部材５０を挿入することにより、第２幹部２４と第１枝部３２を連結する。この際、穴部４５、４７に内周面に形成された軸方向に延在するキー溝４６、４８に接続部材５０の外周面に突出形成された軸方向に延在するキー５２が挿入されることにより、第２幹部２４と第１枝部３２のキー溝４６、４８の周方向位置が一致させられる。これにより、本来の樹形で第２幹部２４と第１枝部３２が接続される。また、例えば、第１枝部３２の自重によって第２幹部２４に対して接続部材５０の軸回りに相対的に回転して、樹形が変化することが防止される。すなわち、第２幹部２４と第１枝部３２の接続後も、本来の樹形が維持される。同様にして、第２幹部２４〜第４幹部２８に第２枝部３４〜第６枝部４２を接続することができる。
【００５３】
さらに、第１枝部３２の端面３２Ｂの穴部５４に接着剤を注入後に第１スプレー５６の挿入部７４を挿入することにより第１スプレー５６が第１枝部３２に接続される。さらに、第１枝部３２の側面に形成された穴部５３に接着剤を注入後に軸７８を挿入することにより、第１枝部３２にピッグ１８に固定する。
【００５４】
このようにして、組立式人工桜１０を展示場所で容易に組み立てる（一体化する）ことができる。
なお、搬出時には、接続部材３０、５０を第１幹部２２〜第４幹部２８、第１枝部３２〜第６枝部４２の穴部から引き抜くことによって、第１幹部２２〜第４幹部２８、第１枝部３２〜第６枝部４２を簡単に分解することができる。
【００５５】
［作用効果］
組立式人工桜１０は、生木の大島桜の幹１２、枝１４を乾燥処理及び燻蒸処理したものを用いているため、人工的に製造された幹、枝と比較して木肌の見栄えに優れる。
【００５６】
一方、組立式人工桜１０は造花７２、７６をつけたスプレー１６、ピッグ１８を用いているため、展示場所において散った花が散乱してしまう問題や展示期間と開花時期がずれてしまう等の問題を回避することができる。
【００５７】
また、組立式人工桜１０は、幹１２、枝１４、スプレー１６、ピッグ１８をそれぞれ第１幹部２２〜第４幹部２８、第１枝部３４〜第６枝部４２、第１スプレー５６〜第７スプレー６８に分割可能に構成しているため、搬入時には分解して搬送することによって、搬入場所のエレベータ等に載せて搬送することが可能になる。
【００５８】
また、組立式人工桜１０は、第１幹部２２〜第４幹部２８の上端面２２Ａ〜２６Ａにそれぞれ形成された穴部２２Ｂ〜２６Ｂ、下端面２４Ｃ〜２８Ｃにそれぞれ形成された穴部（不図示）に接続部材３０を挿入するだけで簡単に幹１２を組み立てることができる。また、同様にして、第２幹部２４〜第４幹部２８に対して第１枝部３４〜第６枝部４２を簡単に接続することができる。
【００５９】
この際、例えば、図３に示すように、第２幹部２４の端面２４Ｄの穴部４５と第１枝部３２の端面３２Ａの穴部４７に形成されたキー溝４６、４８に、接続部材５０のキー５２が挿入されている。したがって、本来の樹形で第２幹部２４と第１枝部３２が接続される。また、第２幹部２４と第１枝部３２が接続部材５０の軸回りで相対的に回転して樹形が変化することが防止される。すなわち、組立式人工桜１０の組立後も、本来の樹形を維持することができる。
なお、第２幹部２４の端面２４Ｄに形成された穴部４５（及びキー溝４６）及び第１枝部３２の端面３２Ａに形成された穴部４７（及びキー溝４８）は、端面２４Ｄ、３２Ａにドリルで形成された穴に金属製の筒状体を嵌合させて形成されている。したがって、金属製の筒状体の中に金属製の接続部材５０が挿入されているだけなので、搬出時も接続部材５０が穴部４５、４７から簡単に抜き取ることができる。すなわち、組立式人工桜１０の分解が容易である。
【００６０】
また、支持部材２０は、組立式人工桜１０を支持するために鉄製であるが、第１プレート８０〜第３プレート８４と管部材８６に分割されるため、人手で取り扱うことが可能になる。特に、第１プレート８０〜第３プレート８４には、それぞれホルダ９０、９６、１０４が設けられているため、各々のプレートの持ち運び性に優れる。また、第２プレート８２及び第３プレート８４には、凹部９４、１００、１０２が設けられているため、第１プレート８０〜第３プレート８４を積層する際にホルダ９０、９６が第２プレート８２又は第３プレート８４に干渉することが防止される。
【００６１】
このように、支持部材２０は、第１プレート８０〜第３プレート８４と管部材８６に分割して人手で組立式人工桜１０を展示するスペースに搬入することが可能であり、また、第１プレート８０〜第３プレート８４を積層してその上に管部材８６を取り付けることによって、支持部材２０を展示場所で簡単に組み立てることができる。
【００６２】
さらに、支持部材２０の管部材８６の円筒部１１０に第１幹部２２の下端を挿入して円筒部１１０の外周面側からボルト１２２を挿入することよって簡単に安定して固定することができる。
【００６３】
なお、本実施形態では、キー溝が形成された穴部にキーが設けられた接続部材３０、５０を挿入する構成で説明したが、隣接する第１幹部２２〜第４幹部２８及び第１枝部３４〜第６枝部４２が接続部材３０、５０の軸回りに相対的に回転することを防止するものであれば、回転防止構造は本実施形態に限定されるものではない。
【００６４】
また、本実施形態では、組立式人工桜１０について説明したが、他の樹木についても同様に適用することができる。
【符号の説明】
【００６５】
１０  組立式人工桜（組立式人工樹木）
１２  幹
１４  枝
２０  支持部材
２２  第１幹部（分割部）
２２Ｂ〜２６Ｂ、４５、４７  穴部
２４  第２幹部（分割部）
２６  第３幹部（分割部）
２８  第４幹部（分割部）
３０  接続部材
３２  第１枝部（分割部）
３４  第２枝部（分割部）
３６  第３枝部（分割部）
３８  第４枝部（分割部）
４０  第５枝部（分割部）
４２  第６枝部（分割部）
４６、４８  キー溝（回転防止構造）
５０  接続部材
５２  キー（回転防止構造）
８０  第１プレート（重し、プレート）
８２  第２プレート（重し、プレート）
８４  第３プレート（重し、プレート）
８６  管部材（筒状部）
【図１】
0003209009.tif 000003
【図２】
0003209009.tif 000004
【図３】
0003209009.tif 000005
【図４】
0003209009.tif 000006
【図５】
0003209009.tif 000007